【事件の表示】
　特願２０１５−　２５１５３「移動局の測位のための暦の管理」拒絶査定不服審判事件〔平成２７年　７月　２日出願公開、特開２０１５−１２１５５６、請求項の数（１５）〕について、次のとおり審決する。
【結　論】
　原査定を取り消す。
　本願の発明は、特許すべきものとする。
【理　由】
第１　手続の経緯
特許出願：　平成２３年５月２０日
（パリ条約による優先権主張（外国庁受理２０１０年５月２８日、米国）を伴う国際出願である特願２０１３−５１２０９９号の分割出願）
拒絶査定：　平成２８年９月２７日（送達日：同年１０月３日）
拒絶査定不服審判の請求：　平成２９年２月２日 
手続補正：　平成２９年２月２日 
第２　原査定の概要
　原査定（平成２８年９月２７日付け拒絶査定）の概要は次のとおりである。
１．本願請求項１−１５に係る発明は、以下の引用文献１−６に基づいて、その発明の属する技術の分野における通常の知識を有する者（以下、「当業者」という。）が容易に発明できたものであるから、特許法第２９条第２項の規定により特許を受けることができない。
引用文献等一覧
１.米国特許出願公開第２００９／０２８０７７５号明細書
２.特表２００４−５１９８９２号公報
３.特開平０６−１３０１４４号公報（周知技術を示す文献）
４.特表２００８−５３８１７０号公報
５.特開２００７−００６０８１号公報
６.特開昭６３−２８０３６９号公報
第３　本願発明
　本願請求項１−１５に係る発明（以下、それぞれ「本願発明１」−「本願発明１５」という。）は、平成２９年２月２日付けの手続補正で補正された特許請求の範囲の請求項１−１５に記載された事項により特定される発明であり、以下のとおりの発明である。
「【請求項１】
　現在の基地局暦(BSA)データバージョンと、ホームシステムに登録されるモバイルデバイスが保持するBSAデータバージョンの識別情報とを格納する、位置サーバを含み、
　前記位置サーバが、
　　前記現在のBSAデータバージョンが、前記モバイルデバイスが保持するBSAデータバージョンとは異なるかどうかを判定し、
　　異なる場合、前記モバイルデバイスが保持するBSAデータが現在のものではないという通知を受信した前記モバイルデバイスが現在のBSAデータを要求することに応答して、
前記モバイルデバイスがローミングしている通信システム中の少なくとも１つの基地局の変更されたBSAデータのみを含むBSAデータサブセットを前記モバイルデバイスにダウンロードする
　ように動作可能であり、
　前記モバイルデバイスにダウンロードすることが、
　前記位置サーバに格納される、前記モバイルデバイスが保持するBSAデータバージョンの識別情報の状態を更新することを含む、遠隔局装置。
　　【請求項２】
　前記位置サーバが、
　前記現在のBSAデータの変更に応答して、前記モバイルデバイスと関連付けられるフラグを設定し、
　前記モバイルデバイスがローミングしている通信システム中の少なくとも１つの基地局の変更されたBSAデータのみを含むBSAデータサブセットが前記モバイルデバイスにダウンロードされることに応答して、前記フラグをクリアする
ように構成される、請求項1に記載の遠隔局装置。
　　【請求項３】
　モバイルデバイスから離れた位置にある基地局の暦データ管理システムであって、
　少なくとも現在の基地局の暦データバージョンを記憶するための暦メモリと、
　ホームシステムに登録される前記モバイルデバイスが保持する基地局の暦データバージョンの識別情報を記憶するためのモバイルデバイス情報メモリと、
　前記現在の基地局の暦データバージョンが、前記モバイルデバイスが保持する基地局の暦データバージョンよりも新しい場合、前記モバイルデバイスが保持する基地局の暦データが最新ではないという通知を受信した前記モバイルデバイスが最新の基地局の暦データを要求することに応答して、前記モバイルデバイスがローミングしている通信システム中の少なくとも１つの基地局の変更された基地局の暦データのみを含む基地局の暦データサブセットを前記モバイルデバイスにダウンロードするためのダウンロードシステムと
を含み、
　前記モバイルデバイスにダウンロードすることが、
　前記モバイルデバイス情報メモリに記憶される、前記モバイルデバイスが保持する基地局の暦データバージョンの識別情報の状態を更新することを含む、基地局の暦データ管理システム。
　　【請求項４】
　前記モバイルデバイスに保持される基地局の暦データバージョンと、前記暦メモリ中の前記現在の基地局の暦データバージョンとを比較するためのシステムをさらに含む、請求項3に記載の基地局の暦データ管理システム。
　　【請求項５】
　前記暦メモリ中の前記現在の基地局の暦データバージョンを記憶するためのバージョンメモリをさらに含む、請求項3に記載の基地局の暦データ管理システム。
　　【請求項６】
　前記現在の基地局の暦データバージョンの変更に応答して、前記モバイルデバイスと関連付けられるフラグを設定し、
　前記モバイルデバイスがローミングしている通信システム中の少なくとも１つの基地局の変更された基地局の暦データのみを含む基地局の暦データサブセットが前記モバイルデバイスにダウンロードされることに応答して、前記フラグをクリアする
ためのシステムをさらに含む、請求項3に記載の基地局の暦データ管理システム。
　　【請求項７】
　前記モバイルデバイスに保持される前記基地局の暦データバージョンと、前記現在の基地局の暦データバージョンとを比較するための比較器をさらに含む、請求項3に記載の基地局の暦データ管理システム。
　　【請求項８】
　モバイルデバイスから離れた位置にある基地局の暦データ管理システムであって、
　少なくとも現在の基地局の暦データバージョンを管理するための手段と、
　少なくとも現在の基地局の暦データバージョンを管理するための前記手段によって管理される、各基地局の暦データバージョンにバージョン識別情報を割り当てるための手段と、
　ホームシステムに登録される前記モバイルデバイスが保持する基地局の暦データバージョンを管理するための手段と、
　前記現在の基地局の暦データバージョンが、前記モバイルデバイスが保持する基地局の暦データバージョンよりも新しい場合、前記モバイルデバイスが保持する基地局の暦データが最新ではないという通知を受信した前記モバイルデバイスが最新の基地局の暦データを要求することに応答して、前記モバイルデバイスがローミングしている通信システム中の少なくとも１つの基地局の変更された基地局の暦データのみを含む基地局の暦データサブセットにより前記モバイルデバイスが保持する基地局の暦データを更新するための手段と
を含み、
　前記モバイルデバイスが保持する基地局の暦データを更新することが、
　前記管理するための手段で管理される、前記モバイルデバイスが保持する基地局の暦データバージョンの状態を更新することを含む、基地局の暦データ管理システム。
　　【請求項９】
　更新するための前記手段が、前記モバイルデバイスが保持する基地局の暦データバージョンと、前記現在の基地局の暦データバージョンとを比較するための手段を含む、請求項8に記載の基地局の暦データ管理システム。
　　【請求項１０】
　モバイルデバイスから離れた位置から基地局の暦データを管理するための方法であって、
　前記基地局の暦データの各バージョンに一意なバージョン識別子を割り当てるステップと、
　少なくとも現在の基地局の暦データバージョンと、前記現在の基地局の暦データバージョンに割り当てられる前記一意なバージョン識別子とを管理するステップと、
　ホームシステムに登録される前記モバイルデバイスが保持する基地局の暦データバージョンのバージョン識別子を管理するステップと、
　前記現在の基地局の暦データバージョンに割り当てられた前記バージョン識別子が、前記モバイルデバイスが保持する基地局の暦データの前記バージョンの前記バージョン識別子よりも新しい場合、前記モバイルデバイスが保持する基地局の暦データが最新ではないという通知を受信した前記モバイルデバイスが最新の基地局の暦データを要求することに応答して、前記モバイルデバイスがローミングしている通信システム中の少なくとも１つの基地局の変更された基地局の暦データのみを含む基地局の暦データサブセットにより前記モバイルデバイスの中の基地局の暦データを更新するステップと
を含み、
　前記モバイルデバイスの中の基地局の暦データを更新することが、
　前記モバイルデバイスが保持する基地局の暦データバージョンのバージョン識別子を前記管理するステップで管理される、前記モバイルデバイスが保持する基地局の暦データバージョンのバージョン識別子の状態を更新することを含む、方法。
　　【請求項１１】
　前記更新するステップが、前記モバイルデバイスが保持する前記基地局の暦データバージョンの前記バージョン識別子と、前記現在の基地局の暦データバージョンの前記バージョン識別子とを比較するステップを含む、請求項10に記載の方法。
　　【請求項１２】
　前記モバイルデバイスから離れた位置が、前記モバイルデバイスのための前記ホームシステムの位置である、請求項10に記載の方法。
　　【請求項１３】
　命令を記録したコンピュータ可読記録媒体であって、
　コンピュータによって実行されると、固定された位置において基地局の暦データバージョンを管理し、基地局の暦データの各バージョンに一意なバージョン識別子を割り当てる、命令と、
　コンピュータによって実行されると、ホームシステムに登録されるモバイルデバイスが保持する基地局の暦データバージョンの識別子と、前記基地局の暦データの現在のバージョンの識別子とを、前記固定された位置において管理する、命令と、
　コンピュータによって実行されると、前記基地局の暦データの前記現在のバージョンの前記識別子が、前記モバイルデバイスが保持する基地局の暦データの前記バージョンの前記識別子よりも新しい場合、前記モバイルデバイスが保持する基地局の暦データが最新ではないという通知を受信した前記モバイルデバイスが最新の基地局の暦データを要求することに応答して、前記モバイルデバイスがローミングしている通信システム中の少なくとも１つの基地局の変更された基地局の暦データのみを含む基地局の暦データサブセットにより前記モバイルデバイスの中の基地局の暦データを更新する、命令と
を含み、
　前記モバイルデバイスの中の基地局の暦データを更新することが、
　前記固定された位置において管理される、前記モバイルデバイスが保持する基地局の暦データバージョンの識別子の状態を更新することを含む、コンピュータ可読記録媒体。
　　【請求項１４】
　前記コンピュータに、少なくとも基地局の暦データを管理させる命令をさらに含む、請求項13に記載のコンピュータ可読記録媒体。
　　【請求項１５】
　前記モバイルデバイス中の前記基地局の暦データの前記バージョンの前記識別子と、前記基地局の暦データの前記現在のバージョンの前記識別子とを、前記コンピュータに比較させる命令をさらに含む、請求項13に記載のコンピュータ可読記録媒体。」
第４　引用文献、引用発明等
１．引用文献１について
　原査定の拒絶の理由に引用された引用文献１には、図面とともに次の事項が記載されている。（下線は当審による。以下同様。）
「[0023]FIG. 1  is a schematic block diagram of an SPS  110  and a cellular network  120  in communication with a mobile station  150 . Cellular network  120 , for this example, may provide voice communication for a number of mobile stations including mobile station  150 , for example, and may further support position estimation for the mobile stations in addition to providing voice communication. Cellular network  120  may comprise any of a number of cellular network types, several examples of which are described below. Cellular network  120  for this example comprises base stations  132 ,  134 , and  136  that provide communication for a number of wireless terminals such as, for example, mobile station  150 . For simplicity, only a few base stations  132 ,  134 , and  136  are depicted and one mobile station  150  is depicted in  FIG. 1 . Of course, other examples may include additional numbers of base stations, and the configuration of base stations depicted in  FIG. 1  is merely an example configuration. Also, cellular network  120  is merely an example wireless communications system, and the scope of claimed subject matter is not limited in this respect.」（当審訳：「図１は、モバイル局１５０と通信しているＳＰＳ１１０とセルラネットワーク１２０の概略ブロック図である。セルラネットワーク１２０は、この例の場合、例えばモバイル局１５０を含んでいる多数のモバイル局のためのボイス通信を提供することができ、ボイス通信を提供することに加えてモバイル局のための位置推定をさらにサポートすることができる。セルラネットワーク１２０は、多数のセルラネットワークタイプのうちのいずれかを備えることができ、それらのいくつかの例が下記で記載されている。この例のセルラネットワーク１２０は、例えばモバイル局１５０のような多数の無線端末のための通信を提供する基地局１３２、基地局１３４及び基地局１３６を備える。簡単化のために、少数の基地局１３２、基地局１３４、及び基地局１３６のみが図示され、そして１つのモバイル局１５０が図１で図示される。勿論、他の例は、さらなる数の基地局を含んでもよく、図１で図示された基地局の構成は、構成の単なる一例である。また、セルラネットワーク１２０は、無線通信システムの単なる一例であり、特許請求された主題の事柄の範囲は、この点で限定されない。」）
「[0028]
A mobile switching center (MSC)  140  for this example may be coupled to base stations  132 ,  134 , and  136
PDSN  160  may couple MSC  140 
to a BSA server  180 
BSA server  180  manages a BSA database  185 , which for this example stores a hierarchal base station almanac for cellular network  110 
この例のモバイルスイッチングセンタ（ＭＳＣ）１４０は、基地局１３２、基地局１３４及び基地局１３６に結合されることができ
ＰＤＳＮ１６０は、
ＢＳＡデータベースサーバ１８０に、ＭＳＣ１４０を結合することができる。
ＢＳＡデータベースサーバ１８０は、ＢＳＡデータベース１８５を管理し、ＢＳＡデータベース１８５は、この例では、セルラネットワーク１１０のための階層基地局アルマナックを保存する。
「[0031]By nature, a base station almanac such as BSA  185  may contain information that does not often change. However, in one aspect, 
cellular network  120  for this example may alert mobile station  150  that revised BSA information is available in the event cellular network  120  is modified in a way that warrants alerting the mobile station. Mobile station  150  may request revised BSA information at least in part in response to receiving such an alert from BSA server  250 
この例のセルラネットワーク１２０は、セルラネットワーク１２０がモバイル局にアラートすることを保証する方法で修正されるイベントにおいて、改訂されたＢＳＡ情報は利用可能であるということをモバイル局１５０にアラートすることができる。モバイル局１５０は、ＢＳＡデータベースサーバ２５０からそのようなアラートを受信することに応じて、少なくとも部分的に改訂されたＢＳＡ情報をリクエストすることができる。
「[0034]FIG. 2  further depicts a number of transmitter types  210  that mobile stations  222  and  224  may monitor. Mobile stations  222  and  224  may or may not be subscribed to any given network associated with the various respective transmitter types to be able to monitor signals transmitted from the various transmitter types. Therefore, BSA information provided to the mobile stations may or may not include information associated with networks to which the mobile stations are not subscribed. As mentioned previously, mobile stations may specify particular networks and/or particular transmitter types while making requests for BSA information. For the example of  FIG. 2 , 
mobile stations  222  and  224  may request BSA information comprising at least a subset of a BSA database from BSA server  250 
モバイル局２２２及びモバイル局２２４は、ＢＳＡデータベースサーバ２５０から、少なくとも１サブセットのＢＳＡデータベースを備えているＢＳＡ情報をリクエストすることができる。
「[0036]Although the example of  FIG. 2  depicts two mobile stations, in practice a wide variety of mobile station types exhibiting a wide range of different functionalities and/or storage capabilities may be utilized to communicate with a large variety of potential network types. Further, the mobile stations may exhibit a wide range of different usage patterns. Therefore, it may be advantageous for BSA server  250  to provide individualized subsets of BSA information that the individual mobile stations may require and/or request, and it may be further advantageous to provide such information formatted in a flexible manner according to a specified file size, coverage area, and/or transmitter type, to name but a few examples of parameters that may be specified. In one aspect, these parameters may be specified by the mobile stations.」（当審訳：「図２の例は２つのモバイル局を図示するが、実際には、広範囲の異なる機能及び／または保存機能を表わしている広範囲のモバイル局タイプが様々な潜在的なネットワークタイプと通信するように利用されることができる。さらに、モバイル局は、広範囲の異なる使用パターンを示すことができる。したがって、個々のモバイル局が必要としうる及び／またはリクエストしうる個別化されたサブセットのＢＳＡ情報を提供することはＢＳＡデータベースサーバ２５０にとって有益であり、また、規定されうるパラメータの少ない例を挙げると、規定されたファイルサイズ、サービスエリア、及び／または、送信機のタイプにしたがって、柔軟な方法でフォーマット化されるそのような情報を提供することがさらに有益である。一態様では、これらのパラメータは、モバイル局によって規定されることができる。」）
「[0053]Continuing to refer to  FIGS. 2 and 3 , mobile station  222  may specify in its request to BSA server  250  an almanac including all access points for a given carrier, for example. In another aspect, mobile station  222  may specify access points using a variety of methods, including, for example, access points at any airports within a specified region, or within reasonable proximity of an airport closest to the current location of the mobile station, or access points along a given roadway or group of roadways. These are examples of how a mobile station may specify to an almanac server what information to include in the almanac to be delivered to the mobile station. Of course, the scope of claimed subject matter is not limited to these particular examples.
[0054]In a further aspect, mobile station  222  may receive a BSA subset from BSA server  250  information related to wireless access points and/or base station transmitters within regions surrounding a number of airports that may represent likely destinations for a user of the mobile station. For example, BSA server  250  may be provided with information describing a number of likely destination airports given a departure airport. In an aspect, the likely destination airports may be determined by analyzing which airports may be reached in a single hop from the departure airport, although the scope of claimed subject matter is not limited in this respect. BSA server  250  may receive a recent location from mobile station  222  and may determine the departure airport from the recent location information. In this manner, mobile station  222  may be provided BSA information for a number of likely destinations prior to departing on an airplane to some destination. This airport almanac information may help mobile station  222  to find its bearings upon startup at a given destination airport. From the airport almanac information, mobile station  222  may enhance its search strategies for other transmitter types, particularly asynchronous networks, which may be difficult to locate. This example technique may contribute to power savings and may reduce search time.
[0055]In a further aspect, the mobile station may receive a BSA subset based upon the roadway and/or direction in which it is traveling. Using a roadway database, the BSA server may provide an almanac of transmitters that the mobile station is likely to see upon a given journey.」（当審訳：「[0053]図２と図３を続けて参照すると、モバイル局２２２は、ＢＳＡサーバ２５０に対するそのリクエストにおいて、例えば、与えられたキャリアのためのすべてのアクセスポイントを含んでいるアルマナックを規定することができる。別の態様では、モバイル局２２２は、例えば、規定された領域内のいずれの空港における、または、モバイル局の現在のロケーションに最も近い空港の合理的な近接性内の、アクセスポイント(access points at any airports within a specified region, or within reasonable proximity of an airport closest to the current location of the mobile station)あるいは、与えられたロードウェイまたはグループのロードウェイに沿ったアクセスポイント(access points along a given roadway or group of roadway)、を含む様々な方法を使用しているアクセスポイントを規定することができる。これらは、どのようにモバイル局がモバイル局に配信されるべきアルマナックに含めるためにどんな情報をアルマナックサーバに対して規定するかという例である。勿論、特許請求された主題の事柄の範囲は、これらの特定の例に限定されていない。
[0054]さらなる態様では、モバイル局２２２は、モバイル局のユーザにとって可能性のある到着(destinations)を表わす多数の空港に囲まれている領域内で無線アクセスポイント及び／または基地局送信機に関連づけられたＢＳＡサーバ２５０情報から、ＢＳＡサブセットを受信することができる。例えば、ＢＳＡデータベースサーバ２５０は、出発空港(departure airport)を与えられると、多数の可能性のある到着空港(destination airports)を説明する情報が提供される。一態様では、可能性のある到着空港は、特許請求された主題の事柄の範囲がこの点で限定されてはいないが、到着空港からシングルホップでどの空港が到達されうるかを分析することによって決定されることができる。ＢＳＡサーバ２５０は、モバイル局２２２から最新のロケーションを受信することができ、そして最新のロケーション情報から到着空港を決定することができる。このような方法で、モバイル局２２２は、ある到着地に飛行機で出発する前に、複数の可能性のある到着地についてのＢＳＡ情報を提供することができる。この空港アルマナック情報は、モバイル局２２２が、所定の到着空港で、スタートアップ時に、そのベアリングを見つけ出すことを助ける。空港アルマナック情報から、モバイル局２２２は、位置づけることが難しい、他の送信機のタイプ、具体的にはアシンクロナスネットワーク、についてのそのサーチ戦略を高めることができる。この技術の例は、省電力に寄与し、サーチ時間を縮小する。
[0055]さらなる態様では、モバイル局は、それが移動している(traveling)、ロードウェイ及び／または方向に基づいて、ＢＳＡサブセットを受信することができる。ロードウェイデータベースを使用して、ＢＳＡサーバは、モバイル局が与えられた道程(journey)のときに見る可能性がある送信機のアルマナックを提供することができる。」）
　上記記載より、引用文献１には次の発明（以下、「引用発明」という。）が記載されていると認められる。
「モバイルスイッチングセンタ（ＭＳＣ）が基地局に結合され、ＢＳＡデータベースサーバに、ＭＳＣが結合され、ＢＳＡデータベースサーバは、ＢＳＡデータベースを管理し、ＢＳＡデータベースは、セルラネットワークのための階層基地局アルマナックを保存する、ＢＳＡデータベースサーバを含み（[0028]参照。）、
　改訂されたＢＳＡ情報は利用可能であるということがモバイル局にアラートされ、モバイル局は、ＢＳＡデータベースサーバからそのようなアラートを受信することに応じて、少なくとも部分的に改訂されたＢＳＡ情報をリクエストすることができ（[0031]参照。）、
　また、モバイル局は、ＢＳＡデータベースサーバから、少なくとも１サブセットのＢＳＡデータベースを備えているＢＳＡ情報をリクエストすることができる（[0034]参照。）、
　モバイルスイッチングセンタ（ＭＳＣ）、ＢＳＡデータベースサーバ、ＢＳＡデータベースを有する装置。」
２．引用文献２について
　また、原査定の拒絶の理由に引用された引用文献２には、図面とともに次の事項が記載されている。
「【００１９】
図６に、セルラー式通信ネットワークにおいてＧＰＳ対応の移動局に送信されるＧＰＳアルマナックデータ発行識別子を更新する処理フローチャート６００を示す。一般にブロック６０２において、図１に示されている参照ノードはアルマナック及びその他のデータをＧＰＳ衛星から受信する。
【００２０】
ブロック６０４において、アルマナック及びその他のデータやパラメータを有するアルマナック支援メッセージが生成される。これらのデータの中には、ネットワークを介して提供されるものもあり得る。エフェメリスデータの場合と違い、全てのＧＰＳ衛星から同一のアルマナックデータが供給されるため、それぞれの衛星に対応するアルマナック支援メッセージを生成する必要はない。
【００２１】
アルマナックデータは、ブロック６０２においても既知の送信間隔で更新される。この間隔は約１８時間である。後述の表２及び表３に記載されている第一パラメータの送信時間などの他のデータやパラメータはこれより短い間隔で更新されることもある。ブロック６０４では、更新されたアルマナック及びその他のデータやパラメータに基づいて、アルマナック支援メッセージが更新される。
【００２２】
ブロック６０６において、前記のアルマナック支援メッセージに対応するＧＰＳアルマナックデータ発行識別子が生成される。本発明の１つの実施の形態において、
ＧＰＳアルマナックデータ発行識別子は、ＧＰＳのアルマナックデータが更新されたときにのみ更新される。
【００２３】
ＧＰＳアルマナックデータ発行識別子は、ブロック６０８でセルラー式通信ネットワークを介して送信され、ブロック６１０でブロック２１０で移動局（ＭＳ）によって受信される。ブロック６１２において、
前記移動局は、ＧＰＳアルマナックデータ発行識別子と、前記移動局にあらかじめ格納されている、任意のアルマナックデータのＧＰＳアルマナックデータ発行識別子とを比較する。
３．引用文献３について
　また、原査定の拒絶の理由に引用された引用文献３には、図面とともに次の事項が記載されている。
「【００３０】まず、Ｓ１０で、
ナビゲーション装置１１の電源スイッチが投入されると
【００３１】Ｓ１１で、時計１５ａが正常であると判断したときには、Ｓ１２へ進み、異常があると判断したときはＳ１３へ進む。時計１５ａに誤差があると、前記したように自車位置測位に時間が非常に掛かり、あるいは測位が不能となる。
【００３２】そこで、Ｓ１３では、地上固定局通信用無線機１６を自動的に起動して、Ｓ１４で、時刻データ、アルマナックデータ、エフェメリスデータを地上固定局１７に要求して、ＧＰＳ衛星１８のデータ伝送速度、例えば５０ボーよりも高速の２４００ボーで取り込む。そして、Ｓ１５で、これら取り込んだデータをＧＰＳ受信機１２へダウンロードしてＳ１６で自車位置を測位させる。
【００３３】この地上固定局１７で保存されている時刻データは正確であり、アルマナックデータとエフェメリスデータが最新のデータであるので、自車位置を正確かつ迅速に測位することができる。
【００３４】一方、Ｓ１２では、アルマナックデータがＲＡＭ１５ｂ内にあるか否か判断し、ある場合には、その
アルマナックデータが例えば半年間の有効期間を過ぎているか否か判断し
【００３５】Ｓ１８では、地上固定局通信用無線機１６を自動的に起動して、Ｓ１９で、
アルマナックデータと、エフェメリスデータとを無線で地上固定局１７に対して要求し、ここから無線により高速で取り込み、これらデータを、Ｓ１５でＧＰＳ受信機１２へダウンロードし
【００３６】また、Ｓ１７では、エフェメリスデータが例えば数時間の有効期間内のデータであるか否か判断し、ＹＥＳ、つまり有効時間内のデータであるときは、正常な時計１５ａの時刻データと、有効期間内のアルマナックデータおよびエフェメリスデータとをＳ１５で、ＧＰＳ受信機１２へデータロードし、Ｓ１６で自車位置を測位させる。
【００３７】一方、Ｓ１７でエフェメリスデータが有効時間を超過している場合には、Ｓ２０で地上固定局通信用無線機１６を起動して、Ｓ２１で、エフェメリスデータを地上固定局１７に無線により要求し、かつ、このデータを取り込み、Ｓ１５でＧＰＳ受信機１２へ与え、Ｓ１６で自車位置を測位させる。なお、Ｓ１６の自車位置の測位動作を開始した後、Ｓ１６の２で、所定時間内で測位を完了しない場合は再びＳ１３へ戻って、Ｓ１３の地上固定局通信用無線機１６の起動以下を繰り返す。」
４．引用文献４について
　また、原査定の拒絶の理由に引用された引用文献４には、図面とともに次の事項が記載されている。
「【００２２】
  「オーバーヘッドメッセージ」という用語は、その内容が実質的に加入者局間トラヒック以外である共通および専用のトラヒックチャネルを含めて、任意のタイプのチャネルを介して無線通信システムと加入者局との間で伝えられるメッセージを指す。明示的に逆に示されていない限り、単数形の用語「オーバーヘッドメッセージ（overhead message）」、「オーバーヘッドメッセージ（an overhead message）」、または「オーバーヘッドメッセージ（the overhead message）」は、本明細書では、１つまたは複数のメッセージを含むために使用されることを理解されよう。」
「【００３５】
  この実装形態での第１の推定値は、
加入者局と通信する基地局または基地局セクタの位置を示すオーバーヘッドメッセージパラメータ
５．引用文献５について
　また、原査定の拒絶の理由に引用された引用文献５には、図面とともに次の事項が記載されている。
「【００３９】
  新たなウイルスが発見されると、情報配信サーバ１００のオペレータが新規なウイルスパターンを含む更新用ファイルをマスタデータ格納部１０１に登録するが、この時点では携帯型情報端末１２０に配信しない（ステップ５０１）。一方、携帯型情報端末１２０の受信情報処理部１２２は定期的に情報配信サーバ１００に接続し、新たな更新用ファイルが存在するかを問い合わせる（ステップ５１１）。この問い合わせでは、
前回転送された更新用ファイルのバージョン情報を携帯型情報端末１２０がデータ蓄積部１２４に登録しておき、このバージョン情報を情報配信サーバ１００への通知に含めるようにする。情報配信サーバ１００のデータ送信部１０２は、受信したバージョン情報とマスタデータ格納部１０１に登録されている最新の更新用データのバージョン情報とを比較して、両者が異なるものであれば新たなファイルが存在する旨を返信する
６．引用文献６について
　また、原査定の拒絶の理由に引用された引用文献６には、図面とともに次の事項が記載されている。
「ホスト計算機（１）は指定した業務処理プログラムの伝送時刻になると配信プログラム記憶装置（３）にある配信プログラムを起動し、この時に電源が投入され送信が可能な分散処理計算機（５）またはインテリジェント端末（６）に対し、指定した業務処理プログラムを伝送して、これが
正常に伝送された場合には配信管理情報（２）へ送信完了フラグを付加する。
バージョンアップの要否をホスト計算機（１）へ照会する。ホスト計算機（１）はこの照会があると配信管理情報（２）を検索し、
バージョンアップの必要なものが存在する場合には、それを配信プログラム記憶装置（３）から配信プログラムを読み出して伝送する。
第５　対比・判断
１．本願発明１について
（１）対比
　本願発明１と引用発明とを対比する。 
　まず、引用発明における「ＢＳＡデータベースを管理」する「ＢＳＡデータベースサーバ」は、本願発明１の「位置サーバ」に相当する。また、引用発明においては「改訂されたＢＳＡ情報は利用可能であるということがモバイル局にアラートされ、モバイル局は、ＢＳＡデータベースサーバからそのようなアラートを受信することに応じて、少なくとも部分的に改訂されたＢＳＡ情報をリクエストすることができ」る、とされているのであるから、引用発明の「ＢＳＡデータベースサーバ」が管理する「ＢＳＡデータベース」において、ＢＳＡ情報の改訂を判別可能とするための、バージョン識別情報を含む情報が保存されていることは明らかといえる。そうすると、引用発明の「モバイルスイッチングセンタ（ＭＳＣ）が基地局に結合され、ＢＳＡデータベースサーバに、ＭＳＣが結合され、ＢＳＡデータベースサーバは、ＢＳＡデータベースを管理し、ＢＳＡデータベースは、セルラネットワークのための階層基地局アルマナックを保存する、ＢＳＡデータベースサーバ」と、本願発明１の「現在の基地局暦(BSA)データバージョンと、ホームシステムに登録されるモバイルデバイスが保持するBSAデータバージョンの識別情報とを格納する、位置サーバ」とは、共に「現在の基地局暦(BSA)データバージョンの識別情報を含む情報を格納する、位置サーバ」である点で共通するといえる。
　次に、引用発明において「改訂されたＢＳＡ情報は利用可能であるということがモバイル局にアラートされ、モバイル局は、ＢＳＡデータベースサーバからそのようなアラートを受信することに応じて、少なくとも部分的に改訂されたＢＳＡ情報をリクエストすることができ、また、モバイル局は、ＢＳＡデータベースサーバから、少なくとも１サブセットのＢＳＡデータベースを備えているＢＳＡ情報をリクエストすることができる」ことと、本願発明１において「前記位置サーバが、前記現在のBSAデータバージョンが、前記モバイルデバイスが保持するBSAデータバージョンとは異なるかどうかを判定し、異なる場合、前記モバイルデバイスが保持するBSAデータが現在のものではないという通知を受信した前記モバイルデバイスが現在のBSAデータを要求することに応答して、前記モバイルデバイスがローミングしている通信システム中の少なくとも１つの基地局の変更されたBSAデータのみを含むBSAデータサブセットを前記モバイルデバイスにダウンロードするように動作可能であ」ることとは、共に「前記位置サーバが、前記モバイルデバイスが現在のBSAデータを要求することに応答して、前記モバイルデバイスがローミングしている通信システム中の少なくとも１つの基地局の変更されたBSAデータのみを含むBSAデータサブセットを前記モバイルデバイスにダウンロードするように動作可能であ」る点で共通するといえる。
　また、引用発明の「モバイルスイッチングセンタ（ＭＳＣ）、ＢＳＡデータベースサーバ、ＢＳＡデータベースを有する装置」は、本願発明１の「遠隔局装置」に相当する。
　してみると、両者の一致点及び相違点は、以下のとおりである。
（一致点）
　現在の基地局暦(BSA)データバージョンの識別情報を含む情報を格納する、位置サーバを含み、
　前記位置サーバが、
　前記モバイルデバイスが現在のBSAデータを要求することに応答して、
前記モバイルデバイスがローミングしている通信システム中の少なくとも１つの基地局の変更されたBSAデータのみを含むBSAデータサブセットを前記モバイルデバイスにダウンロードする
　ように動作可能である、遠隔局装置。」
　
　（相違点）　
相違点１：本願発明１の位置サーバは、「現在の基地局暦(BSA)データバージョンと、ホームシステムに登録されるモバイルデバイスが保持するBSAデータバージョンの識別情報とを格納する」のに対し、引用発明においては「ホームシステムに登録されるモバイルデバイスが保持するBSAデータバージョンの識別情報」は格納されておらず、また「現在の基地局暦(BSA)データバージョン」の識別情報を含む情報についても、どのような形態で格納されているかは不明である点。
　　
相違点２：本願発明１においては、「前記位置サーバが、前記現在のBSAデータバージョンが、前記モバイルデバイスが保持するBSAデータバージョンとは異なるかどうかを判定」するのに対し、引用発明において、少なくとも「ＢＳＡデータベースサーバ」はそのような判定を行わない点。またそれに伴い、本願発明１においては上記判定が「異なる場合、前記モバイルデバイスが保持するBSAデータが現在のものではないという通知を受信」するのに対し、引用発明においてはそのような通知の受信は行われない点。
相違点３：本願発明１においては「前記モバイルデバイスにダウンロードすることが、前記位置サーバに格納される、前記モバイルデバイスが保持するBSAデータバージョンの識別情報の状態を更新することを含む」とされているのに対し、引用発明においてはそのような情報の格納、更新は行われない点。
（２）相違点についての判断
　本願発明１の内容に鑑み、上記相違点１及び３について検討する。
　上記相違点１に係る、位置サーバに「ホームシステムに登録されるモバイルデバイスが保持するBSAデータバージョンの識別情報」が格納されるという構成は、引用文献２ないし６のいずれにも記載も示唆もされていない。したがって、そのような情報の状態を更新するという、上記相違点３に係る、「前記モバイルデバイスにダウンロードすることが、前記位置サーバに格納される、前記モバイルデバイスが保持するBSAデータバージョンの識別情報の状態を更新することを含む」という構成も同様に記載も示唆もされていない。
　なお、引用文献５において、「前回転送された更新用ファイルのバージョン情報を携帯型情報端末１２０がデータ蓄積部１２４に登録しておき、このバージョン情報を情報配信サーバ１００への通知に含めるようにする。情報配信サーバ１００のデータ送信部１０２は、受信したバージョン情報とマスタデータ格納部１０１に登録されている最新の更新用データのバージョン情報とを比較して、両者が異なるものであれば新たなファイルが存在する旨を返信する」との記載があり、携帯型情報端末から情報配信サーバ１００へ通知されたバージョン情報とマスタデータ格納部１０１に登録されている最新の更新用データのバージョン情報とを比較する技術が開示されている。この場合、２つのバージョン情報の比較のために、「携帯型情報端末から情報配信サーバ１００へ通知されたバージョン情報」も一時的に保持されていると考えられるが、それはあくまで情報処理工程における一時的な情報の保持状態に過ぎず、そのような構成が上記相違点１に係る、位置サーバに「ホームシステムに登録されるモバイルデバイスが保持するBSAデータバージョンの識別情報」が格納されるという構成に相当するものであるとは認められない。また仮にそのように認めたとしても、上記比較の結果「新たなファイルが存在する旨を返信する」ようにされ、携帯型情報端末への配信が行われる際に、上記一時的な保持状態が更新されることはされていないのであるから、上記相違点３に係る、「前記モバイルデバイスにダウンロードすることが、前記位置サーバに格納される、前記モバイルデバイスが保持するBSAデータバージョンの識別情報の状態を更新することを含む」という構成は記載も示唆もされていない。
　したがって、上記相違点２について判断するまでもなく、本願発明１は、当業者であっても、引用文献１ないし６に基づいて容易に発明できたものとはいえない。
２．本願発明２について
　本願発明２も、本願発明１の上記相違点１、３に係る構成と同一の構成を備えるものであるから、本願発明１と同じ理由により、当業者であっても、引用文献１ないし６に基づいて容易に発明できたものとはいえない。
３．本願発明３、８、１０、１３について
　本願発明３、８、１０、１３は、本願発明１に対応するシステム、方法、もしくはコンピュータ可読記録媒体の発明であり、本願発明１の上記相違点１、３に係る構成に対応する構成を備えるものであるから、本願発明１と同様の理由により、当業者であっても、引用文献１ないし６に基づいて容易に発明できたものとはいえない。
４．本願発明４−７、９、１１−１２、１４−１５について
　本願発明４−７、９、１１−１２、１４−１５も、それぞれ本願発明３、８、１０、１３の上記相違点１、３に係る構成に対応する構成と同一の構成を備えるものであるから、本願発明１と同様の理由により、当業者であっても、引用文献１ないし６に基づいて容易に発明できたものとはいえない。
第６　原査定について
　本願発明１−１５は、上記相違点１、３に係る構成、もしくはそれに対応する構成を有するものであり、当業者であっても、拒絶査定において引用された引用文献１−６に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。